(57)【要約】【課題】室内の湿度を下げることができ、かつ、室内の温度が下がり過ぎることのない熱交換換気装置を得ること。【解決手段】給気送風機により室外側吸込口から室外空気を吸込み、熱交換器の給気通路を通して室内側吹出口から室内に給気する給気路と、排気送風機により室内側吸込口から室内空気を吸込み、前記熱交換器の排気通路を通して室外側吹出口から室外に排気する排気路と、を備える熱交換換気装置において、前記室外側吸込口に設置され室外空気の温度及び湿度を検出し温度及び湿度信号を夫々出力する室外温度センサー１９ｃ及び室外湿度センサー１９ｄと、前記室内側吸込口に設置され室内空気の温度及び湿度を検出し温度及び湿度信号を夫々出力する室内温度センサー２０ａ及び室内湿度センサー２０ｂと、前記室外、室内温度センサー及び室外、室内湿度センサーの出力信号に基づいて前記給気送風機及び排気送風機の送風量を制御する制御装置と、を備える。【選択図】        図４
2008309381.tif 000002
【特許請求の範囲】
【請求項１】
ケーシングに格納され、
給気送風機により室外側吸込口から室外空気を吸込み、熱交換器の給気通路を通して室内側吹出口から室内に給気する給気路と、
排気送風機により室内側吸込口から室内空気を吸込み、前記熱交換器の排気通路を通して室外側吹出口から室外に排気する排気路と、
を備える熱交換換気装置において、
前記室外側吸込口に設置され室外空気の温度及び湿度を検出し温度及び湿度信号を夫々出力する室外温度センサー及び室外湿度センサーと、
前記室内側吸込口に設置され室内空気の温度及び湿度を検出し温度及び湿度信号を夫々出力する室内温度センサー及び室内湿度センサーと、
前記室外、室内温度センサー及び室外、室内湿度センサーの出力信号に基づいて前記給気送風機及び排気送風機の送風量を制御する制御装置と、
を備えることを特徴とする熱交換換気装置。
【請求項２】
前記給気路又は排気路を前記熱交換器を通さないバイパス給気路又はバイパス排気路に切換えるダンパをさらに備え、
前記制御装置は、前記温度センサー及び湿度センサーの出力信号に基づいて前記ダンパの切換えを制御することを特徴とする請求項１に記載の熱交換換気装置。
【請求項３】
前記制御装置は、前記室外温度センサーの検出温度が５℃未満のとき、前記給気送風機の送風量を送風能力の０〜２０％に設定することを特徴とする請求項１に記載の熱交換換気装置。
【請求項４】
前記制御装置は、前記室外温度センサーの検出温度が５℃以上１０℃未満で、前記室外温度センサー及び室外湿度センサーの出力信号に基づいて演算された室外絶対湿度が、前記室内温度センサー及び室内湿度センサーの出力信号に基づいて演算された室内絶対湿度より低いときは、前記給気送風機及び排気送風機の送風量を送風能力の４０〜６０％に設定することを特徴とする請求項１に記載の熱交換換気装置。
【請求項５】
前記制御装置は、前記室外温度センサーの検出温度が５℃以上１０℃未満で、前記室外絶対湿度が前記室内絶対湿度より低いときは、前記ダンパを切換えて前記給気路又は排気路を前記熱交換器を通さない前記バイパス給気路又はバイパス排気路に切換え、前記給気送風機及び排気送風機の送風量を送風能力の４０〜６０％に設定することを特徴とする請求項２に記載の熱交換換気装置。
【請求項６】
前記制御装置は、前記室外温度センサーの検出温度が５℃以上１０℃未満で、前記室外絶対湿度が前記室内絶対湿度より高いときは、前記給気送風機及び排気送風機の送風量を送風能力の０〜２０％に設定することを特徴とする請求項１に記載の熱交換換気装置。
【請求項７】
前記制御装置は、前記室外温度センサーの検出温度が１０℃以上１８℃未満で、前記室外絶対湿度が前記室内絶対湿度より低いときは、前記給気送風機及び排気送風機の送風量を送風能力の６０〜１００％に設定することを特徴とする請求項１に記載の熱交換換気装置。
【請求項８】
前記制御装置は、前記室外温度センサーの検出温度が１０℃以上１８℃未満で、前記室外絶対湿度が前記室内絶対湿度より高いときは、前記給気送風機及び排気送風機の送風量を送風能力の０〜２０％に設定することを特徴とする請求項１に記載の熱交換換気装置。
【請求項９】
前記制御装置は、前記室外温度センサーの検出温度が１８℃以上のときは、前記給気送風機及び排気送風機の送風量を送風能力の０〜２０％に設定することを特徴とする請求項１に記載の熱交換換気装置。
【請求項１０】
ケーシングに格納され、
給気送風機により室外側吸込口から室外空気を吸込み、熱交換器の給気通路を通して室内側吹出口から室内に給気する給気路と、
排気送風機により室内側吸込口から室内空気を吸込み、前記熱交換器の排気通路を通して室外側吹出口から室外に排気する排気路と、
を備える熱交換換気装置において、
前記室内側吹出口に設置され室内吹出し空気の温度及び湿度を検出し温度及び湿度信号を夫々出力する室内吹出し温度センサー及び室内吹出し湿度センサーと、
前記室内側吸込口に設置され室内空気の温度及び湿度を検出し温度及び湿度信号を夫々出力する室内温度センサー及び室内湿度センサーと、
前記室内吹出し温度センサー、室内温度センサー、室内吹出し湿度センサー及び室内湿度センサーの出力信号に基づいて前記給気送風機及び排気送風機の送風量を制御する制御装置と、
を備えることを特徴とする熱交換換気装置。
【請求項１１】
前記給気路又は排気路を前記熱交換器を通さないバイパス給気路又はバイパス排気路に切換えるダンパをさらに備え、
前記制御装置は、前記温度センサー及び湿度センサーの出力信号に基づいて前記ダンパの切換えを制御することを特徴とする請求項１０に記載の熱交換換気装置。
【請求項１２】
前記制御装置は、前記室内吹出し温度センサーの検出温度が５℃未満のとき、前記給気送風機の送風量を送風能力の０〜２０％に設定することを特徴とする請求項１０に記載の熱交換換気装置。
【請求項１３】
前記制御装置は、前記室内吹出し温度センサーの検出温度が５℃以上１０℃未満で、前記室内吹出し温度センサー及び室内吹出し湿度センサーの出力信号に基づいて演算された室内吹出し空気の絶対湿度が、前記室内温度センサー及び室内湿度センサーの出力信号に基づいて演算された室内絶対湿度より低いときは、前記給気送風機及び排気送風機の送風量を送風能力の４０〜６０％に設定することを特徴とする請求項１０に記載の熱交換換気装置。
【請求項１４】
前記制御装置は、前記室内吹出し温度センサーの検出温度が５℃以上１０℃未満で、前記室内吹出し空気の絶対湿度が前記室内絶対湿度より低いときは、前記ダンパを切換えて前記給気路又は排気路を前記熱交換器を通さない前記バイパス給気路又はバイパス排気路に切換え、前記給気送風機及び排気送風機の送風量を送風能力の４０〜６０％に設定することを特徴とする請求項１１に記載の熱交換換気装置。
【請求項１５】
前記制御装置は、前記室内吹出し温度センサーの検出温度が５℃以上１０℃未満で、前記室内吹出し空気の絶対湿度が前記室内絶対湿度より高いときは、前記給気送風機及び排気送風機の送風量を送風能力の０〜２０％に設定することを特徴とする請求項１０に記載の熱交換換気装置。
【請求項１６】
前記制御装置は、前記室内吹出し温度センサーの検出温度が１０℃以上１８℃未満で、前記室内吹出し空気の絶対湿度が前記室内絶対湿度より低いときは、前記給気送風機及び排気送風機の送風量を送風能力の６０〜１００％に設定することを特徴とする請求項１０に記載の熱交換換気装置。
【請求項１７】
前記制御装置は、前記室内吹出し温度センサーの検出温度が１０℃以上１８℃未満で、前記室内吹出し空気の絶対湿度が前記室内絶対湿度より高いときは、前記給気送風機及び排気送風機の送風量を送風能力の０〜２０％に設定することを特徴とする請求項１０に記載の熱交換換気装置。
【請求項１８】
前記制御装置は、前記室内吹出し温度センサーの検出温度が１８℃以上のときは、前記給気送風機及び排気送風機の送風量を送風能力の０〜２０％に設定することを特徴とする請求項１０に記載の熱交換換気装置。
【請求項１９】
前記ケーシングは、設置場所への搬入時に、分割可能であることを特徴とする請求項１〜１８のいずれか一つに記載の熱交換換気装置。
【発明の詳細な説明】
【技術分野】
【０００１】
本発明は、熱交換器を介して同時給排気による熱交換を行なう熱交換換気装置に関するものである。
【背景技術】
【０００２】
従来、吸込口と吹出口とを室内側と室外側のそれぞれに一組づつ設けた箱体と、この箱体内に上記吸込口と上記吹出口との間で交差するように設けられた上記室内側から上記室外側に至る給気通路および排気通路と、これらの給気通路と排気通路に設けられた給気流および排気流を形成する送風機と、上記交差部に設けられ上記給気流と上記排気流との間で熱交換する熱交換器と、上記排気通路または上記給気通路と並設され上記熱交換器を迂回するバイパス通路と、このバイパス通路を開閉するバイパスダンパと、上記排気通路または給気通路の側壁に設けられた風路切換えダンパとを備え、上記バイパスダンパと上記風路切換えダンパにより上記送風機の吸込みおよび吹出し方向を切換えるようにした熱交換器付換気装置がある（例えば、特許文献１参照）。
【０００３】
また、住宅等の建物の各居室に設けられ屋内外に連通する給気口と、建物の屋外に面して設けられ屋内の空気を排気する換気扇とを備える換気装置において、空気の温度、及び湿度を検知するための温度センサーと湿度センサーとがそれぞれに建物の屋外と屋内に設けられ、屋内の絶対湿度の演算結果に基づいて上記換気扇の風量を制御する制御回路が設けられている換気装置がある（例えば、特許文献２参照）。
【０００４】
【特許文献１】特開平０１−３１８８４１号公報
【特許文献２】特開平０９−０２６１７２号公報
【発明の開示】
【発明が解決しようとする課題】
【０００５】
しかしながら、特許文献１に記載された従来の技術によれば、室内の湿度が上昇したときに、絶対湿度が低い室外の空気の給気風量を増加させて室内の湿度を下げることができない。そのため、窓ガラスが結露する、という問題があった。
【０００６】
また、特許文献２に記載された従来の技術によれば、温度センサーと湿度センサーとをそれぞれ建物の屋外と屋内に設置しなければならない。そのため、設置作業が煩雑であり、しかも、室内の温度が下がり過ぎてしまう、という問題があった。
【０００７】
本発明は、上記に鑑みてなされたものであって、室内の湿度を下げることができ、かつ、室内の温度が下がり過ぎることのない熱交換換気装置を得ることを目的とする。
【課題を解決するための手段】
【０００８】
上述した課題を解決し、目的を達成するために、本発明は、ケーシングに格納され、給気送風機により室外側吸込口から室外空気を吸込み、熱交換器の給気通路を通して室内側吹出口から室内に給気する給気路と、排気送風機により室内側吸込口から室内空気を吸込み、前記熱交換器の排気通路を通して室外側吹出口から室外に排気する排気路と、を備える熱交換換気装置において、前記室外側吸込口に設置され室外空気の温度及び湿度を検出し温度及び湿度信号を夫々出力する室外温度センサー及び室外湿度センサーと、前記室内側吸込口に設置され室内空気の温度及び湿度を検出し温度及び湿度信号を夫々出力する室内温度センサー及び室内湿度センサーと、前記室外、室内温度センサー及び室外、室内湿度センサーの出力信号に基づいて前記給気送風機及び排気送風機の送風量を制御する制御装置と、を備えることを特徴とする。
【発明の効果】
【０００９】
この発明によれば、室内の湿度を下げることができ、かつ、室内の温度が下がり過ぎることのない熱交換換気装置が得られる、という効果を奏する。
【発明を実施するための最良の形態】
【００１０】
以下に、本発明にかかる熱交換換気装置の実施の形態を図面に基づいて詳細に説明する。なお、この実施の形態によりこの発明が限定されるものではない。
【００１１】
実施の形態１．
図１は、本発明にかかる熱交換換気装置の実施の形態１を示す透視斜視図であり、図２は、透視平面図であり、図３は、透視側面図であり、図４は、送風機の制御装置のブロック構成図であり、図５は、室外温度及び室内外湿度条件によって異なる送風機（ファン）の運転モードを示すテーブルである。
【００１２】
図１〜図３に示すように、熱交換換気装置１００は、室外空気対室内空気の熱交換を行う熱交換器１が、直方体の箱形に形成された本体ケーシング２内に設置され、同時給排気により、熱交換を行いながら室内の換気を行う。
【００１３】
熱交換換気装置１００には、給気送風機５により室外側吸込口２６から室外空気を吸込み、熱交換器１の給気通路１ａ（図３参照）を通して室内側吹出口２７から室内に給気する給気路４と、排気送風機３により室内側吸込口２４から室内空気を吸込み、熱交換器１の排気通路１ｂ（図３参照）を通して室外側吹出口２５から室外に排気する排気路６と、が形成されている。
【００１４】
本体ケーシング２内に、熱交換器１、給気送風機５及び排気送風機３を組付け、給気路部品１２と排気路部品１１を装着することにより、給気路４と排気路６が形成される。
【００１５】
給気路４は、排気路部品１１の入口部分１５に対応する本体ケーシング２の開口部を室外側吸込口２６とし、排気路部品１１の入口部分１５から熱交換器１の上側の面から熱交換器１の給気通路１ａを経て給気送風機５から給気路部品１２の出口部分１４に至り、出口部分１４の開口部に対応する本体ケーシング２の開口部を室内側吹出口２７とする通風路として形成される。
【００１６】
一方、排気路６は、給気路部品１２の入口部分１５に対応する本体ケーシング２の開口部を室内側吸込口２４とし、給気路部品１２の入口部分１５から熱交換器１の上側の面から熱交換器１の排気通路１ｂを経て排気送風機３から排気路部品１１の出口部分１４に至り、出口部分１４の開口部に対応する本体ケーシング２の開口部を室外側吹出口２５とする通風路として形成される。
【００１７】
また、バイパス給気路１０は、バイパスダンパ９の開放により、給気路４の室外側吸込口２６から排気路部品１１の入口部分１５を経て熱交換器１を迂回して給気路部品１２の出口部分１４から室内側吹出口２７に室外空気を給気する通風路として形成されている。
【００１８】
また、図示はしないが、バイパス排気路を、バイパスダンパの開放により、排気路６の室内側吸込口２４から給気路部品１２の入口部分１５を経て熱交換器１を迂回して排気路部品１１の出口部分１４から室外側吹出口２５に室内空気を排気する通風路として形成してもよい。
【００１９】
給気路４の室外側吸込口２６及び室内側吹出口２７、排気路６の室内側吸込口２４及び室外側吹出口２５には、ダクト接続筒１６が取付けられている。
【００２０】
熱交換換気装置１００は、給気路４により熱交換器１を通して室外空気を室内へ給気することができ、同時に、排気路６により熱交換器１を通して室内空気を室外に排気することができ、熱交換器１で熱交換を行いながら同時給排気による熱交換換気を行うことができる。
【００２１】
また、ダンパによりバイパス給気路１０又はバイパス排気路を開放することにより、給気送風機５又は排気送風機３により室外空気又は室内空気を熱交換器１を通さずに室内又は室内へ給気又は排気することもでき、熱交換を伴わない普通換気も行うことができる。
【００２２】
排気路部品１１の送風機ケーシング部１３と出口部分１４とは排気路として連通している。出口部分１４は、送風機ケーシング部１３からの送風方向とこれに直交する二方向に開口しており、出口部分１４の分岐部分には、図２に示すように、排気路６の室外側吹出口２５の二方向の開口の排気路開口面積を調節できるようにダンパ板７が設けられている。
【００２３】
このダンパ板７は、図示しないダンパ軸を中心に回動することにより、排気路６の室外側吹出口２５の開口している二方向のうち、一方向の開口の排気路開口面積を縮小するとともに、もう一方向の開口の排気路開口面積を拡大する。
【００２４】
給気路部品１２の送風機ケーシング部１３と出口部分１４とは排気路として連通している。出口部分１４は、送風機ケーシング部１３からの送風方向とこれに直交する二方向に開口しており、出口部分１４の分岐部分には、図２に示すように、給気路４の室内側吹出口２７の二方向の開口の排気路開口面積を調節できるようにダンパ板８が設けられている。
【００２５】
このダンパ板７は、図示しないダンパ軸を中心に回動することにより、排気路６の室外側吹出口２５の開口している二方向のうち、一方向の開口の排気路開口面積を縮小するとともに、もう一方向の開口の排気路開口面積を拡大する。
【００２６】
熱交換換気装置１００には、室外側吹出口２５に温度センサー１９ａ及び湿度センサー１９ｂ、室外側吸込口２６に室外温度センサー１９ｃ及び室外湿度センサー１９ｄ、室内側吸込口２４に室内温度センサー２０ａ及び室内湿度センサー２０ｂ、室内側吹出口２７に室内吹出し温度センサー２０ｃ及び室内吹出し湿度センサー２０ｄ、を夫々設置する。
【００２７】
これらのセンサーにより、室外空気と室内空気の温度及び相対湿度を検出し、検出結果に基づいて、室外空気と室内空気の絶対湿度を計算することにより、室外空気の絶対湿度と室内空気の絶対湿度を把握することができる。それ故、例えば、室外空気の絶対湿度が室内空気の絶対湿度より低いときは、換気風量を大きくする等の熱交換換気装置１００の運転制御が可能となる。また、室内吹出し空気の絶対湿度が室内空気の絶対湿度より低いときに、換気風量を大きくする等の熱交換換気装置１００の運転制御を行ってもよい。
【００２８】
図４に示すように、送風機の制御装置２００においては、温度センサー１９ｃ（又は２０ｃ）、２０ａと、湿度センサー１９ｄ（又は２０ｄ）、２０ｂにより、室外空気（又は室内吹出し空気）と室内空気の温度及び相対湿度を検出し、温度及び相対湿度信号を夫々演算手段３４に出力する。演算手段３４は、出力された温度及び相対湿度信号に基づいて、飽和水蒸気曲線により、室外空気（又は室内吹出し空気）と室内空気の絶対湿度を演算する。
【００２９】
演算手段３４は、室外空気（又は室内吹出し空気）と室内空気の絶対湿度の演算結果を風量設定手段３５に出力し、風量設定手段３５は、出力された室外空気（又は室内吹出し空気）と室内空気の絶対湿度の大小により、図５に示す送風機（ファン）の運転モード設定テーブルに基づいて、送風機３、５の風量を設定し、モータ駆動装置３１に指令し、送風機３、５のモータ２２、２３を制御して送風機３、５の送風量を制御する。演算手段３４及び風量設定手段３５が、送風機の制御装置２００を構成している。室内吹出し空気の温度及び相対湿度を用いて送風量を制御するほうが、室外空気の温度及び相対湿度を用いて送風量を制御するよりも、より正確な制御を行なうことができる。
【００３０】
図５に示すように、冬期厳寒期、冬期通常期、春秋中間期、夏期の夫々における室外空気の温度又は室内吹出し空気の温度（室内供給温度；以下ＳＡ温度という。）を冬期厳寒期は５℃未満、冬期通常期は５℃以上１０℃未満、春秋中間期は１０℃以上１８℃未満、夏期は１８℃以上とする。
【００３１】
冬期厳寒期においては、ＳＡ温度が５℃未満であり、居住者が寒さを感じるので給気を止めるか、あるいは、送風能力の２０％以下の微弱風量に設定する。冬期通常期で、ＳＡの絶対湿度が室内空気ＲＡの絶対湿度より低いときは、除湿を目的として、送風能力の４０％〜６０％程度の風量で、熱交換換気又は熱交換しないバイパス換気を行う。
【００３２】
ただし、冬期通常期において、ＳＡ絶対湿度が室内空気ＲＡの絶対湿度より高いときは、積極的な換気を行わずに、前記の送風能力の２０％以下の微弱風量に切り替え、必要最低換気量を確保しつつ、なるべく室内の湿度を上昇させないようにする。
【００３３】
また、春秋中間期においては、室内空気ＲＡ絶対湿度がＳＡ絶対湿度より高いときは、送風能力の６０％〜１００％の強風量で積極的に室内の湿度を低減させる。反対に、室内空気ＲＡ絶対湿度がＳＡ絶対湿度より低いときは、前記の送風能力の２０％以下の微弱風量に切り替え、なるべく室内の湿度を上昇させないようにする。
【００３４】
夏期においては、エアコンにより室内空気ＲＡの絶対湿度が低減されるのに対して、ＳＡ絶対湿度は高くなる傾向があるので、前記の送風能力の２０％以下の微弱風量に切り替え、必要最低換気風量を確保しつつ、なるべく室内の絶対湿度を上昇させないようにする。
【００３５】
実施の形態２．
図６は、本発明にかかる熱交換換気装置の実施の形態２を示す斜視図であり、図７は、実施の形態２の熱交換換気装置の透視平面図である。
【００３６】
図６及び図７に示すように、実施の形態２の熱交換換気装置３００は、室外空気対室内空気の熱交換を行う熱交換器４３、４３が、直方体の箱形に形成された本体ケーシング３８内の略中央部に略ハ字形に平行して設置され、同時給排気により、熱交換を行いながら室内の換気を行う。
【００３７】
熱交換換気装置３００には、本体ケーシング３８内の左方に設置された給気送風機４４により、本体ケーシング３８の右方に設けられた室外側吸込口３９から室外空気を吸込み、給気フィルタ４２、４２及び熱交換器４３、４３の給気通路を通して、本体ケーシング３８の上に取外し可能に設置された小形の室内側ケーシング４５に設けられた室内側吹出口３７から室内に給気する給気路（図７に破線で示す；給気路の仕切壁は図示していない。）と、本体ケーシング３８内の右方に設置された排気送風機４１により、室内側ケーシング４５に設けられた室内側吸込口４０から室内空気を吸込み、熱交換器４３、４３の排気通路を通して本体ケーシング３８の右方に設けられた室外側吹出口３６から室外に排気する排気路（図７に実線で示す；排気路の仕切壁は図示していない。）と、が形成されている。
【００３８】
上記のように、室内側ケーシング４５には、室内側吹出口３７及び室内側吸込口４０が設けられ、室内側ケーシング４５内には、室内側の給排気路が形成されている。また、図示しないが、本体ケーシング３８内に、実施の形態１の熱交換換気装置１００のような、バイパス給気路又はバイパス排気路を設けてもよい。
【００３９】
実施の形態２の熱交換換気装置３００は、図７に破線で示す給気路により熱交換器４３、４３を通して室外空気を室内へ給気することができ、同時に、図７に実線で示す排気路により熱交換器４３、４３を通して室内空気を室外に排気することができ、熱交換器４３、４３で熱交換を行いながら同時給排気による熱交換換気を行うことができる。
【００４０】
また、ダンパによりバイパス給気路又はバイパス排気路を開放することにより、給気送風機４４又は排気送風機４１により室外空気又は室内空気を熱交換器４３、４３を通さずに室内又は室内へ給気又は排気することもでき、熱交換を伴わない普通換気も行うことができる。
【００４１】
熱交換換気装置３００には、室外側吸込口３９に室外温度センサー１９ｃ及び室外湿度センサー１９ｄ、室内側吸込口４０に室内温度センサー２０ａ及び室内湿度センサー２０ｂ、が夫々設置されている。
【００４２】
これらのセンサーにより、室外空気と室内空気の温度及び相対湿度を検出し、検出結果に基づいて、飽和水蒸気曲線から、室外空気と室内空気の絶対湿度を計算することにより、室外空気の絶対湿度と室内空気の絶対湿度を把握することができる。それ故、例えば、室外空気の絶対湿度が室内空気の絶対湿度より低いときは、換気風量を大きくする等の熱交換換気装置３００の運転制御が可能である。
【００４３】
実施の形態２の熱交換換気装置３００の送風機の制御装置及び制御方法は、図４及び図５に示すものと同等であるので、説明を省略する。
【００４４】
実施の形態２の熱交換換気装置３００は、小形の室内側ケーシング４５を、本体ケーシング３８から取外すことができるようになっていて、熱交換換気装置３００を、住宅の屋根裏に設置するときに、両者を分割し、小さな点検口から搬入することができる。
【産業上の利用可能性】
【００４５】
以上のように、本発明にかかる熱交換換気装置は、湿度の高い地域の建物に設置する熱交換換気装置として有用である。
【図面の簡単な説明】
【００４６】
【図１】本発明にかかる熱交換換気装置の実施の形態１を示す透視斜視図である。
【図２】実施の形態１の熱交換換気装置の透視平面図である。
【図３】実施の形態１の熱交換換気装置の透視側面図である。
【図４】送風機の制御装置のブロック構成図である。
【図５】室外温度及び室内外湿度条件によって異なる送風機（ファン）の運転モードを示すテーブルである。
【図６】本発明にかかる熱交換換気装置の実施の形態２を示す斜視図である。
【図７】実施の形態２の熱交換換気装置の透視平面図である。
【符号の説明】
【００４７】
１  熱交換器
１ａ  給気通路
１ｂ  排気通路
２，３８  本体ケーシング（ケーシング）
３，４１  排気送風機
４  給気路
５，４４  給気送風機
６  排気路
７  ダンパ板
８  ダンパ板
９  バイパスダンパ
１０  バイパス給気路
１１  排気路部品
１２  給気路部品
１３  送風機ケーシング部
１４  出口部分
１５  入口部分
１６  ダクト接続筒
１９ａ，１９ｃ，２０ａ，２０ｃ  温度センサー
１９ｂ，１９ｄ，２０ｂ，２０ｄ  湿度センサー
２２，２３  モータ
２４，４０  室内側吸込口
２５，３６  室外側吹出口
２６，３９  室外側吸込口
２７，３７  室内側吹出口
３１  モータ駆動装置
３４  演算手段
３５  風量設定手段
４２  給気フィルタ
４３  熱交換器
４５  室内側ケーシング
１００，３００  熱交換換気装置
２００  制御装置
【図１】
2008309381.tif 000003
【図２】
2008309381.tif 000004
【図３】
2008309381.tif 000005
【図４】
2008309381.tif 000006
【図５】
2008309381.tif 000007
【図６】
2008309381.tif 000008
【図７】
2008309381.tif 000009